(57)【特許請求の範囲】
【請求項１】
表面板の裏面に断熱材が設けられこの表面板の上端部を折り返して起立片が設けられた既存のパネル材の上端を切り落とし、これにより、上端面が断熱材の露出した切断端面となった壁パネルを形成し、
室内側部とこれに対向する室外側部とを有する逆Ｕ字状断面のキャップ部材を前記切断端面を覆うように被設し、
天井パネルをキャップ部材上に載置すると共に、前記切断前のパネル材の起立片に接続するために設けられた垂下片を天井パネルの周縁端から垂下してキャップ部材の室外側部に添設し、
キャップ部材の室内側部側から、キャップ部材における室内側部及び室外側部の対向する箇所に穿設された馬鹿孔及び壁パネルを通して天井パネルの垂下片にまでネジを打入することで、天井パネルの垂下片に設けられたネジ穴と壁パネルとを螺着し、
天井パネルと壁パネルとに弾接する天井廻し縁部材をキャップ部材の室内側部に設けた廻し縁取付部に取着して固定具を隠匿した
ことを特徴とするユニットルーム。
【請求項２】
廻し縁取付部をキャップ部材の室内側部から上下に並設して室内側に突出する一対の突条を備えて構成し、天井廻し縁部材を上記一対の突条に被せるように取り付け、キャップ部材の室内側部における一対の突条の間の部位から固定具を打入すると共に、この固定具の頭部を一対の突条と天井廻し縁部材とで囲繞される空間に収納したことを特徴とする請求項１記載のユニットルーム。
【請求項３】
天井パネルをキャップ部材上に両面テープを介して載置したことを特徴とする請求項１または請求項２に記載のユニットルーム。
【請求項４】
固定具の頭部の外径を一対の突条間の距離と略同じ長さにし、一対の突条の対向面で打入する固定具のガイド面を構成したことを特徴とする請求項２に記載のユニットルーム。
【発明の詳細な説明】
【技術分野】
【０００１】
本発明は、ユニットルームに関し、詳しくは天井パネルと壁パネルとの連結構造に関するものである。
【背景技術】
【０００２】
従来から、ユニットバスのようなユニットルーム１の天井パネル３と壁パネル２とを接続するにあたっては、図２に示すように、天井パネル３の垂下片３０と壁パネル２の起立片２１とを固定具６であるネジ６ａによって固定し、その後、天井パネル３と壁パネル２との間に形成される凹所１４に室内側Ａから天井廻し縁部材１５を打ち込んで、ネジ６ａを隠匿すると共に天井パネル３と壁パネル２との水密性を確保するといった構造が広く知られている（例えば、特許文献１参照)。
【０００３】
ところで、近年ではマンションなどの建物側に融通が利かない場所にユニットルーム１を配置することもよく行われるのであるが、この場合、建物側の天井が低い、排水管位置が高い位置にある等の建物側の都合に合わせ、ユニットルーム１の壁パネル２を切断してユニットルーム１の天井高を抑えたりなどの現場施工を行う必要が生じることもある。
【０００４】
このように壁パネル２を切断して対応する場合には、起立片２１を切り落としてしまうので上記図２の壁パネル２と天井パネル３の連結構造は採用できなくなり、壁パネル２と天井パネル３の連結部分に水密性や良好な外観を確保することはできなくなるのであった。
【特許文献１】実開平６−８６２４号公報
【発明の開示】
【発明が解決しようとする課題】
【０００５】
本発明は上記の点に鑑みてなされたものであり、その目的とするところは、ユニットルームの天井高を調整するために壁パネルの上部を切断しても、壁パネルと天井パネルの連結部分に水密性や良好な外観を確保することのできるユニットルームを提供することを課題とするものである。
【課題を解決するための手段】
【０００６】
上記課題を解決するために請求項１に係るユニットルーム１にあっては、表面板１１の裏面に断熱材１２が設けられこの表面板１１の上端部を折り返して起立片２１が設けられた既存のパネル材の上端を切り落とし、これにより、上端面が断熱材１２の露出した切断端面２０となった壁パネル２を形成し、室内側部４１とこれに対向する室外側部４０とを有する逆Ｕ字状断面のキャップ部材を前記切断端面２０を覆うように被設し、天井パネル３をキャップ部材４上に載置すると共に、前記切断前のパネル材の起立片２１に接続するために設けられた垂下片３０を天井パネル３の周縁端から垂下してキャップ部材４の室外側部４０に添設し、キャップ部材４の室内側部４１側から、キャップ部材４における室内側部４１及び室外側部４０の対向する箇所に穿設された馬鹿孔１０及び壁パネル２を通して天井パネル３の垂下片３０にまでネジ６ａを打入することで、天井パネル３の垂下片３０に設けられたネジ穴１３と壁パネル２とを螺着し、天井パネル３と壁パネル２とに弾接する天井廻し縁部材５をキャップ部材４の室内側部４１に設けた廻し縁取付部７に取着して固定具６を隠匿したことを特徴とする。
【０００７】
これによると、ユニットルーム１の天井高を調整するために壁パネル２の上部を切断しても、壁パネル２と天井パネル３とを固定具６で強固に連結できると共に、天井パネル３と壁パネル２とに弾接する天井廻し縁部材５を壁パネル２の上端に被設したキャップ部材４を介して取着でき、また天井廻し縁部材５によってユニットルーム１内への固定具６の露出を無くすることができるのであり、つまり、壁パネル２と天井パネル３の連結部分に水密性や良好な外観を確保することができる。
【０００８】
また、固定具６を構成したネジ６ａを、キャップ部材４に穿設した馬鹿孔１０に通して、天井パネル３の垂下片３０に設けたネジ６ａ穴と壁パネル２とを螺着したから、ネジ６ａのネジ部６１によって天井パネル３と壁パネル２とを直接結合できるので、壁パネル２と天井パネル３との連結強度を強固にできる。
【０００９】
また、請求項２に係るユニットルーム１にあっては、請求項１において、廻し縁取付部７を、キャップ部材４の室内側部４１から上下に並設して室内側に突出する一対の突条４３を備えて構成し、天井廻し縁部材５を上記一対の突条４３に被せるように取り付け、キャップ部材４の室内側部４１における一対の突条４３の間の部位から固定具６を打入すると共に、この固定具６の頭部６０を一対の突条４３と天井廻し縁部材５とで囲繞される空間Ｓに収納したことを特徴とする。これによると、固定具６を囲うようにしてキャップ部材４に天井廻し縁部材５を取り付けることができるのであり、固定具６の打入構造に高い水密性を備えるようにできる。
【００１０】
また、請求項３に係るユニットルーム１にあっては、請求項１または請求項２において、天井パネル３をキャップ部材４上に両面テープ８を介して載置したことを特徴とする。これによると、両面テープ８によって天井パネル３と壁パネル２との連結を補強できるので、壁パネル２と天井パネル３との連結強度を強固にできる。
【００１１】
また、請求項４に係るユニットルーム１にあっては、請求項２において、固定具６の頭部６０の外径を一対の突条４３間の距離と略同じ長さにし、一対の突条４３の対向面で打入する固定具６のガイド面９を構成したことを特徴とする。これによると、キャップ部材４における天井廻し縁部材５の取付構造を利用して、固定具６の打入作業性を向上できる。
【発明の効果】
【００１２】
本発明にあっては、ユニットルームの天井高を調整するために壁パネルの上部を切断しても、壁パネルと天井パネルの連結部分に水密性や良好な外観を確保できる、といった利点を有する。
【発明を実施するための最良の形態】
【００１３】
以下、本発明を添付図面に示す実施形態に基いて説明する。
【００１４】
図１には、バスルームであるユニットルーム１の天井高を調節するために上部を切断した壁パネル２と天井パネル３との連結部分の側断面図を示す。
【００１５】
本例の壁パネル２は金属製の表面板１１の裏面に断熱材１２を貼着して構成されたパネル材であり、その上端部には通常図２のようにその表面板１１を折り返して形成した起立片２１が設けられているが、上部を切断したことで起立片２１が切り落とされ、断熱材１２の露出した切断端面２０が壁パネル２の上端面となっている。
【００１６】
この切断端面２０となる壁パネル２の上端面にはキャップ部材４が被せられる。キャップ部材４はアルミの押出し成形などで製造された長尺の型枠材であり、対向する鉛直片状の室外側部４０と室内側部４１の各上端同士を水平片状の連結部４２で連結して断面逆Ｕ字状に形成されている。キャップ部材４の室内側部４１には、天井パネル３と壁パネル２とに弾接させる天井廻し縁部材５を取着するための廻し縁取付部７が設けられている。廻し縁取付部７は、キャップ部材４の室内側部４１から上下に並設して室内側に突出する一対の突条４３で構成されており、各突条４３の突出先端には反対向方向で且つ突出基端側に折り返した被係止部４４が形成されている。キャップ部材４の室内側部４１における一対の突条４３の間には、壁パネル２と天井パネル３とを連結させる固定具６を通す馬鹿孔１０が穿設されており、また上記キャップ部材４の室内側部４１の馬鹿孔１０に対向するキャップ部材４の室外側部４０の部位にも馬鹿孔１０が穿設されている。天井パネル３も壁パネル２と同様に表面板１１の裏面に断熱材１２を積層した層構成を有するが、その周端縁には表面板１１を鉛直下方に折り曲げた垂下片３０が設けられている。
【００１７】
この天井パネル３を壁パネル２に連結するには、壁パネル２に被着したキャップ部材４の連結部４２上に天井パネル３を載置すると共にその垂下片３０をキャップ部材４の室外側部４０に添設し、キャップ部材４の室内側部４１から壁パネル２を通して天井パネル３の垂下片３０にまで固定具６を打入することで行われる。なお、天井パネル３の垂下片３０にはネジ孔１３が設けられており、上記のように天井パネル３を配置したときには上記ネジ孔１３がキャップ部材４の室内側部４１の馬鹿孔１０と連通した状態にされる。
【００１８】
ここで、固定具６にはネジ６ａが用いられる。このネジ６ａには頭部６０の外径が一対の突条４３間の距離と略同じ長さのものが用いられる。しかして、ネジ６ａを打入する際には一対の突条４３の対向面をガイド面９として、ガイドされながら打入されるのであり、良好な作業性で確実な打入作業を行うことができる。また、打入したネジ６ａによると、そのネジ部６１が壁パネル２の表面板１１及び断熱材１２に食い込むと共に天井パネル３の垂下片３０のネジ孔１３に螺着されるのであり、つまり壁パネル２と天井パネル３とを供締めによって直接結合できるので、壁パネル２と天井パネル３との強固な連結強度が確保される。更に言うと、天井パネル３はキャップ部材４の連結部４２上に載置されるが、本例では天井パネル３とキャップ部材４の連結部４２とは介在させた両面テープ８で貼着させており、壁パネル２と天井パネル３との連結を補強してその強度の向上を図っている。
【００１９】
このようにして壁パネル２と天井パネル３との連結は為されるが、この時点では壁パネル２と天井パネル３との間に水密性は無く且つ固定具６も頭部６０が一対の突条４３の間からユニットルーム１内（室内１ａ）に露出されているので、壁パネル２と天井パネル３との間に水密性を確保すると共に固定具６を隠匿させるための天井廻し縁部材５をキャップ部材４の廻し縁取付部７に着脱自在に取り付ける。
【００２０】
ここで、天井廻し縁部材５は、少なくとも上端の天井パネル弾接部５０と下端の壁パネル弾接部５１とを軟質の弾性材で構成した帯状部材であり、上下中央部における裏面には廻し縁取付部７を構成する一対の突条４３の被係止部４４にそれぞれ係止させる鉤爪状の一対の係止部５２が上下に並設されている。天井廻し縁部材５の一対の係止部５２を対応するキャップ部材４の被係止部４４に係止させることで、天井廻し縁部材５がキャップ部材４に取着されるのであり、このとき固定具６はその頭部６０が一対の突条４３と天井廻し縁部材５とで囲繞される空間Ｓに収納された状態になって、ユニットルーム１内に露出されないのは勿論のこと、その打入構造に高い水密性が確保されるのである。
【００２１】
上記のように天井高を調整するために壁パネル２の上部を切断したユニットルーム１であっても、ユニットルーム１の壁パネル２と天井パネル３との連結部位では、壁パネル２と天井パネル３とを固定具６で強固に連結できると共に、壁パネル２の上端に被設したキャップ部材４を介して取着した天井廻し縁部材５によって、壁パネル２と天井パネル３との水密性を確保すると共に、固定具６のユニットルーム１内への露出を無くすることができて良好な外観を現出することができたのである。
【図面の簡単な説明】
【００２２】
【図１】本発明の実施の形態の例を示す壁パネルと天井パネルとの連結部位の側断面図である。
【図２】従来技術の例の壁パネルと天井パネルとの連結部位の側断面図である。
【符号の説明】
【００２３】
１    ユニットルーム
２    壁パネル
３    天井パネル
４    キャップ部材
５    天井廻し縁部材
６    固定具
７    廻し縁取付部
８    両面テープ
９    ガイド面
１０  馬鹿孔
１３  ネジ孔
２０  切断端面
３０  垂下片
４０  室外側部
４１  室内側部
６０  頭部
６１  ネジ部
【図１】
0005438265.tif 000002
【図２】
0005438265.tif 000003